(57)【要約】【課題】コンポーネントキャリアの多重化方式が混在したキャリアアグリゲーションの試験を可能にする移動端末試験装置を提供すること。【解決手段】ＰＣＣまたはＳＣＣとして動作することができる第１セル部１２１と、ＳＣＣとしてのみ動作する第２セル部１２２と、を備えるコールプロセッシング部１２−０、１と、ＰＣＣとして設定されたＣＣの多重化方式と異なる多重化方式のＳＣＣが設定されている場合、ＰＣＣの多重化方式と同じ多重化方式のＣＣを割り当てられないコールプロセッシング部１２−１にはＰＣＣの多重化方式と異なる多重化方式のＣＣを第２セル部１２２の数まで割り当てる制御部１５と、を備え、ＰＣＣの多重化方式と異なる多重化方式のＣＣのみを割り当てられたコールプロセッシング部１２−１は、移動端末２からの受信信号を第１セル部１２１で受信する。【選択図】図１
2017055236.tif 000002
【特許請求の範囲】
【請求項１】
キャリアアグリゲーションにおける複数のコンポーネントキャリアそれぞれに設定されたパラメータに基づいて、前記複数のコンポーネントキャリアの１つをプライマリコンポーネントキャリアとし、他の前記コンポーネントキャリアをセカンダリコンポーネントキャリアとして移動端末（２）と呼接続を行なってキャリアアグリゲーションの試験を行なう移動端末試験装置（１）であって、
前記プライマリコンポーネントキャリアまたは前記セカンダリコンポーネントキャリアとして動作する第１セル部（１２１）と、前記セカンダリコンポーネントキャリアとしてのみ動作する第２セル部（１２２）とのうち、１つの前記第１セル部を少なくとも備えた１つのコールプロセッシング部（１２−０）と、１つの前記第１セル部と１つ以上の前記第２セル部とを備えた１つ以上の別のコールプロセッシング部（１２−１）とでなる複数のコールプロセッシング部（１２−０、１２−１）と、
前記複数のコンポーネントキャリアを前記複数のコールプロセッシング部に割り当てる制御部（１５）であって、前記１つのコールプロセッシング部には前記プライマリコンポーネントキャリアを割り当てる当該制御部（１５）と、を備え、
前記別のコールプロセッシング部は、
前記第２セル部の数が前記制御部によって自身に割り当てられたコンポーネントキャリアの数以上であり、また前記制御部によって前記プライマリコンポーネントキャリアの多重化方式と異なる多重化方式の前記セカンダリコンポーネントキャリアを割り当てられた場合に、当該セカンダリコンポーネントキャリアのパラメータを前記第１セル部に設定しないよう、前記第２セル部に当該セカンダリコンポーネントキャリアのパラメータを設定し、前記第１セル部に前記プライマリコンポーネントキャリアの多重化方式と同じ多重化方式を設定し、前記移動端末からの受信信号を当該第１セル部で受信する移動端末試験装置。
【請求項２】
前記別のコールプロセッシング部は、前記制御部によって前記プライマリコンポーネントキャリアの多重化方式と異なる多重化方式の前記セカンダリコンポーネントキャリアのみを割り当てられた場合、前記各セカンダリコンポーネントキャリアの送信信号は前記第２セル部から送信する請求項１に記載の移動端末試験装置。
【請求項３】
前記別のコールプロセッシング部は、前記制御部によって前記プライマリコンポーネントキャリアの多重化方式と同じ多重化方式の前記セカンダリコンポーネントキャリアを割り当てられた場合、前記第１セル部に当該セカンダリコンポーネントキャリアのパラメータを設定する請求項１または２に記載の移動端末試験装置。
【請求項４】
キャリアアグリゲーションにおける複数のコンポーネントキャリアそれぞれに設定されたパラメータに基づいて、前記複数のコンポーネントキャリアの１つをプライマリコンポーネントキャリアとし、他の前記コンポーネントキャリアをセカンダリコンポーネントキャリアとして移動端末（２）と呼接続を行なってキャリアアグリゲーションの試験を行なう移動端末試験装置（１）であって、
前記プライマリコンポーネントキャリアまたは前記セカンダリコンポーネントキャリアとして動作する第１セル部（１２１）と、前記セカンダリコンポーネントキャリアとしてのみ動作する第２セル部（１２２）とのうち、前記第１セル部及び前記第２セル部を備えた１つのコールプロセッシング部（１２−０）と、１つの前記第１セル部を少なくとも備えた１つ以上の別のコールプロセッシング部（１２−１）とでなる複数のコールプロセッシング部（１２−０、１２−１）と、
前記複数のコンポーネントキャリアを前記複数のコールプロセッシング部に割り当てる制御部（１５）であって、前記１つのコールプロセッシング部には前記プライマリコンポーネントキャリアを割り当てる当該制御部（１５）と、を備え、
前記別のコールプロセッシング部は、
前記プライマリコンポーネントキャリアを含む前記プライマリコンポーネントキャリアと同じ多重化方式のコンポーネントキャリアの数が、前記複数のコールプロセッシング部の数以上であることを条件に、
前記プライマリコンポーネントキャリアと同じ多重化方式の前記セカンダリコンポーネントキャリアのパラメータを前記第１セル部に設定しないよう、当該第１セル部に前記複数のコンポーネントキャリア全てのうちから前記プライマリコンポーネントキャリアの多重化方式と同じ多重化方式のセカンダリコンポーネントキャリアのパラメータを設定し、前記移動端末からの受信信号を当該第１セル部で受信する移動端末試験装置。
【請求項５】
キャリアアグリゲーションのプライマリコンポーネントキャリアまたはセカンダリコンポーネントキャリアとして動作する第１セル部と、前記セカンダリコンポーネントキャリアとしてのみ動作する第２セル部とのうち、１つの前記第１セル部を少なくとも備えた１つのコールプロセッシング部と、１つの前記第１セル部と１つ以上の前記第２セル部とを備えた１つ以上の別のコールプロセッシング部とでなる複数のコールプロセッシング部を備え、
キャリアアグリゲーションにおける複数のコンポーネントキャリアそれぞれに設定されたパラメータに基づいて、前記複数のコンポーネントキャリアの１つを前記プライマリコンポーネントキャリアとし、他の前記コンポーネントキャリアを前記セカンダリコンポーネントキャリアとして移動端末と呼接続を行なってキャリアアグリゲーションの試験を行なう移動端末試験装置のコンポーネントキャリア割り当て方法であって、
前記１つのコールプロセッシング部に、前記プライマリコンポーネントキャリアを割り当てるステップと、
前記別のコールプロセッシング部に、前記プライマリコンポーネントキャリアの多重化方式と異なる多重化方式の前記セカンダリコンポーネントキャリアが割り当てられた場合に、前記第２セル部の数が自身に割り当てられたコンポーネントキャリアの数以上であることを条件に、当該セカンダリコンポーネントキャリアのパラメータを前記第１セル部に設定しないよう、当該別のコールプロセッシング部の前記第２セル部に当該セカンダリコンポーネントキャリアのパラメータを設定するとともに、前記第１セル部に前記プライマリコンポーネントキャリアの多重化方式と同じ多重化方式を設定するステップと、
前記移動端末からの受信信号を当該第１セル部で受信させるようにするステップと、を備えるコンポーネントキャリア割り当て方法。
【発明の詳細な説明】
【技術分野】
【０００１】
本発明は、移動体通信端末の試験を行なう移動端末試験装置に関する。
【背景技術】
【０００２】
携帯電話やデータ通信端末等の移動体通信端末を開発した場合、この開発した移動体通信端末が正常に通信を行なえるか否かを試験する必要がある。このため、実際の基地局の機能を擬似する擬似基地局として動作する試験装置に試験対象の移動体通信端末を接続し、試験装置と移動体通信端末との間で通信を行なわせ、この通信の内容を確認する試験を行なっている。
【０００３】
また、無線通信の規格を作成している３ＧＰＰ（3rd Generation Partnership Project）では、ＬＴＥ−Ａ（Long Term Evolution-Advanced）の規格のなかで、キャリアアグリゲーション（Carrier Aggregation）技術が導入されている。このキャリアアグリゲーションは、複数のＬＴＥキャリアを同時に用いて通信を行なうことで、伝送速度の向上を図るものである。
【０００４】
キャリアアグリゲーションにおいては、コンポーネントキャリア（以下、「ＣＣ」ともいう）と呼ばれるＬＴＥキャリアを複数用いて通信を行なう。キャリアアグリゲーションでは、移動体通信端末が基地局との接続を維持するために必要なＣＣである１つのプライマリコンポーネントキャリア（以下、「ＰＣＣ」ともいう）と、移動体通信端末と基地局との伝送速度を向上させるために使用されるＣＣである１つ以上のセカンダリコンポーネントキャリア（以下、「ＳＣＣ」ともいう）とにより通信が行なわれる。
【０００５】
特許文献１には、キャリアアグリゲーションの試験を行なうことができるようにした試験装置が記載されている。
【先行技術文献】
【特許文献】
【０００６】
【特許文献１】特開２０１４−２７６５６号公報
【発明の概要】
【発明が解決しようとする課題】
【０００７】
ＣＣの通信の多重化方式（Duplex Mode）は、ＦＤＤ（Frequency Division Duplex）方式とＴＤＤ（Time Division Duplex）方式のいずれかの方式が使用される。
【０００８】
３ＧＰＰ  Ｒｅｌｅａｓｅ１０の規格では、キャリアアグリゲーションの各ＣＣの多重化方式は全て同じ方式を使用するように定義されているが、３ＧＰＰ  Ｒｅｌｅａｓｅ１１以降では、異なる多重化方式のＣＣ組み合わせによるキャリアアグリゲーションが検討され規格化されている。
【０００９】
しかしながら、従来の移動端末試験装置では、各ＣＣの多重化方式の組み合わせによっては、機能上の制約により移動体通信端末との通信ができないという問題があった。
そこで、本発明は、コンポーネントキャリアの多重化方式が混在したキャリアアグリゲーションの試験を可能にする移動端末試験装置を提供することを目的としている。
【課題を解決するための手段】
【００１０】
本発明の移動端末試験装置は、キャリアアグリゲーションにおける複数のコンポーネントキャリアそれぞれに設定されたパラメータに基づいて、複数のコンポーネントキャリアの１つをプライマリコンポーネントキャリアとし、他のコンポーネントキャリアをセカンダリコンポーネントキャリアとして移動端末と呼接続を行なってキャリアアグリゲーションの試験を行なう移動端末試験装置であって、プライマリコンポーネントキャリアまたはセカンダリコンポーネントキャリアとして動作する第１セル部と、セカンダリコンポーネントキャリアとしてのみ動作する第２セル部とのうち、１つの第１セル部を少なくとも備えた１つのコールプロセッシング部と、１つの第１セル部と１つ以上の第２セル部とを備えた１つ以上の別のコールプロセッシング部とでなる複数のコールプロセッシング部と、複数のコンポーネントキャリアを複数のコールプロセッシング部に割り当てる制御部であって、１つのコールプロセッシング部にはプライマリコンポーネントキャリアを割り当てる制御部と、を備え、別のコールプロセッシング部は、第２セル部の数が制御部によって自身に割り当てられたコンポーネントキャリアの数以上であり、また制御部によってプライマリコンポーネントキャリアの多重化方式と異なる多重化方式のセカンダリコンポーネントキャリアを割り当てられた場合に、そのセカンダリコンポーネントキャリアのパラメータを第１セル部に設定しないよう、第２セル部にそのセカンダリコンポーネントキャリアのパラメータを設定し、第１セル部にプライマリコンポーネントキャリアの多重化方式と同じ多重化方式を設定し、移動端末からの受信信号を第１セル部で受信するものである。
【００１１】
この構成により、プライマリコンポーネントキャリアの多重化方式と異なる多重化方式のセカンダリコンポーネントキャリアを割り当てられた別のコールプロセッシング部では、移動端末からの受信信号は第１セル部で受信される。このため、全てのコールプロセッシング部で移動端末からの信号を受信することができ、コンポーネントキャリアの多重化方式が混在したキャリアアグリゲーションの試験が可能となる。
【００１２】
また、本発明の移動端末試験装置において、別のコールプロセッシング部は、制御部によってプライマリコンポーネントキャリアの多重化方式と異なる多重化方式のセカンダリコンポーネントキャリアのみを割り当てられた場合、各セカンダリコンポーネントキャリアの送信信号は第２セル部から送信するものである。
【００１３】
この構成により、プライマリコンポーネントキャリアの多重化方式と異なる多重化方式のセカンダリコンポーネントキャリアのみを割り当てられたコールプロセッシング部では、各セカンダリコンポーネントキャリアの送信信号が第２セル部により送信される。このため、プライマリコンポーネントキャリアの多重化方式と異なる多重化方式のセカンダリコンポーネントキャリアのみを割り当てられたコールプロセッシング部でも移動端末と信号の送受信ができ、コンポーネントキャリアの多重化方式が混在したキャリアアグリゲーションの試験が可能となる。
【００１４】
また、本発明の移動端末試験装置において、別のコールプロセッシング部は、制御部によってプライマリコンポーネントキャリアの多重化方式と同じ多重化方式のセカンダリコンポーネントキャリアを割り当てられた場合、第１セル部にそのセカンダリコンポーネントキャリアのパラメータを設定するものである。
【００１５】
この構成により、プライマリコンポーネントキャリアの多重化方式と同じ多重化方式のセカンダリコンポーネントキャリアを割り当てられたコールプロセッシング部では、第１セル部がセカンダリコンポーネントキャリアとして動作する。このため、プライマリコンポーネントキャリアの多重化方式と同じ多重化方式のセカンダリコンポーネントキャリアを割り当てられたコールプロセッシング部でも移動端末と信号の送受信ができ、コンポーネントキャリアの多重化方式が混在したキャリアアグリゲーションの試験が可能となる。
【００１６】
本発明の移動端末試験装置は、キャリアアグリゲーションにおける複数のコンポーネントキャリアそれぞれに設定されたパラメータに基づいて、複数のコンポーネントキャリアの１つをプライマリコンポーネントキャリアとし、他のコンポーネントキャリアをセカンダリコンポーネントキャリアとして移動端末と呼接続を行なってキャリアアグリゲーションの試験を行なう移動端末試験装置であって、プライマリコンポーネントキャリアまたはセカンダリコンポーネントキャリアとして動作する第１セル部と、セカンダリコンポーネントキャリアとしてのみ動作する第２セル部とのうち、第１セル部及び第２セル部を備えた１つのコールプロセッシング部と、１つの第１セル部を少なくとも備えた１つ以上の別のコールプロセッシング部とでなる複数のコールプロセッシング部と、複数のコンポーネントキャリアを複数のコールプロセッシング部に割り当てる制御部であって、１つのコールプロセッシング部にはプライマリコンポーネントキャリアを割り当てる制御部と、を備え、別のコールプロセッシング部は、プライマリコンポーネントキャリアを含むプライマリコンポーネントキャリアと同じ多重化方式のコンポーネントキャリアの数が、複数のコールプロセッシング部の数以上であることを条件に、プライマリコンポーネントキャリアと同じ多重化方式のセカンダリコンポーネントキャリアのパラメータを第１セル部に設定しないよう、その第１セル部に複数のコンポーネントキャリア全てのうちからプライマリコンポーネントキャリアの多重化方式と同じ多重化方式のセカンダリコンポーネントキャリアのパラメータを設定し、移動端末からの受信信号を当該第１セル部で受信するものである。
【００１７】
この構成により、プライマリコンポーネントキャリアの多重化方式と異なる多重化方式のセカンダリコンポーネントキャリアを割り当てられた別のコールプロセッシング部では、移動端末からの受信信号は第１セル部で受信される。このため、全てのコールプロセッシング部で移動端末からの信号を受信することができ、コンポーネントキャリアの多重化方式が混在したキャリアアグリゲーションの試験が可能となる。
【００１８】
また、本発明のコンポーネントキャリアの割り当て方法は、キャリアアグリゲーションのプライマリコンポーネントキャリアまたはセカンダリコンポーネントキャリアとして動作する第１セル部と、セカンダリコンポーネントキャリアとしてのみ動作する第２セル部とのうち、１つの第１セル部を少なくとも備えた１つのコールプロセッシング部と、１つの第１セル部と１つ以上の第２セル部とを備えた１つ以上の別のコールプロセッシング部とでなる複数のコールプロセッシング部を備え、キャリアアグリゲーションにおける複数のコンポーネントキャリアそれぞれに設定されたパラメータに基づいて、複数のコンポーネントキャリアの１つをプライマリコンポーネントキャリアとし、他のコンポーネントキャリアをセカンダリコンポーネントキャリアとして移動端末と呼接続を行なってキャリアアグリゲーションの試験を行なう移動端末試験装置のコンポーネントキャリア割り当て方法であって、１つのコールプロセッシング部に、プライマリコンポーネントキャリアを割り当てるステップと、別のコールプロセッシング部に、プライマリコンポーネントキャリアの多重化方式と異なる多重化方式のセカンダリコンポーネントキャリアが割り当てられた場合に、第２セル部の数が自身に割り当てられたコンポーネントキャリアの数以上であることを条件に、当該セカンダリコンポーネントキャリアのパラメータを第１セル部に設定しないよう、その別のコールプロセッシング部の第２セル部にそのセカンダリコンポーネントキャリアのパラメータを設定するとともに、第１セル部にプライマリコンポーネントキャリアの多重化方式と同じ多重化方式を設定するステップと、移動端末からの受信信号を第１セル部で受信させるようにするステップと、を備えるものである。
【００１９】
この構成により、プライマリコンポーネントキャリアの多重化方式と異なる多重化方式のセカンダリコンポーネントキャリアを割り当てられた別のコールプロセッシング部では、移動端末からの受信信号は第１セル部で受信される。このため、全てのコールプロセッシング部で移動端末からの信号を受信することができ、コンポーネントキャリアの多重化方式が混在したキャリアアグリゲーションの試験が可能となる。
【発明の効果】
【００２０】
本発明は、コンポーネントキャリアの多重化方式が混在したキャリアアグリゲーションの試験を可能にする移動端末試験装置を提供することができる。
【図面の簡単な説明】
【００２１】
【図１】図１は、本発明の第１の実施形態に係る移動端末試験装置の概念ブロック図である。
【図２】図２は、本発明の第１の実施形態に係る移動端末試験装置のパラメータ設定状態を示す図である。
【図３】図３は、本発明の第１の実施形態に係る移動端末試験装置のパラメータ設定処理を説明するフローチャートである。
【図４】図４は、本発明の第１の実施形態の変形例に係る移動端末試験装置のパラメータ設定状態を示す図である。
【図５】図５は、本発明の第２の実施形態に係る移動端末試験装置のパラメータ設定状態を示す図である。
【発明を実施するための形態】
【００２２】
以下、図面を参照して、本発明の実施形態について詳細に説明する。
［第１の実施形態］
図１において、本発明の第１の実施形態に係る移動端末試験装置１は、擬似基地局として同軸ケーブル等を介して有線で移動端末２と無線信号を送受信するようになっている。なお、移動端末試験装置１は、アンテナを介して無線で移動端末２と信号を送受信するようにしてもよい。移動端末試験装置１は、ＬＴＥ−Ａの規格に対応しており、キャリアアグリゲーション技術により移動端末２との間で通信できるようになっている。
【００２３】
移動端末試験装置１は、無線信号処理部１０と、無線ハードウェア制御部１１と、２つのコールプロセッシング部１２−０、１と、無線信号測定部１３と、ユーザインターフェース部１４と、制御部１５とを含んで構成されている。本実施形態においては、コールプロセッシング部１２を２つ備えた場合を示したが、さらに多数のコールプロセッシング部１２を備えるようにしてもよい。
【００２４】
無線信号処理部１０は、移動端末２との間で無線信号を送受信するものである。無線信号処理部１０は、コールプロセッシング部１２−０、１の送信データを、符号化や、変調、周波数変換などして無線信号を生成して送信する。また、無線信号処理部１０は、移動端末２から受信した無線信号を、周波数変換や、復調、復号などしてコールプロセッシング部１２−０、１に出力する。
【００２５】
無線ハードウェア制御部１１は、無線信号処理部１０を制御して、無線信号の送受信レベルや周波数などを制御するものである。
【００２６】
コールプロセッシング部１２−０、１は、無線信号処理部１０及び無線ハードウェア制御部１１と接続され、試験条件に応じて設定された周波数などのコンポーネントキャリアのパラメータに従って無線ハードウェア制御部１１に設定信号を送信して、無線信号処理部１０に試験条件に適合した無線信号を送信させる。また、コールプロセッシング部１２−０、１は、無線信号処理部１０を介して、移動端末２との間で無線信号を送受信して、コンポーネントキャリアとしての試験条件に適合した呼接続を移動端末２との間で行なったり、試験条件に対応したコンポーネントキャリアとしての呼制御を行なったりするものである。また、コールプロセッシング部１２−０、１は、設定された多重化方式などのパラメータに従って無線信号処理部１０に設定信号を送信して、無線信号処理部１０に試験条件に適合した無線信号を送信させる。
【００２７】
コールプロセッシング部１２−０、１は、コンポーネントキャリアとして動作する第１セル部１２１と第２セル部１２２を備えている。第１セル部１２１は、ＰＣＣまたはＳＣＣとして動作することができ、第２セル部１２２は、ＳＣＣとしてのみ動作するようになっている。第１セル部１２１は、移動端末２からの受信信号を受信し、必要な情報を第２セル部１２２に出力するようになっている。
【００２８】
第１セル部１２１及び第２セル部１２２に対応するＣＣのパラメータは、無線ハードウェア制御部１１を介して無線信号処理部１０に個別に設定できるようになっている。本実施形態においては、第２セル部１２２を１つ備える場合を示したが、第２セル部１２２を複数備えるようにしてもよい。
【００２９】
無線信号測定部１３は、無線信号処理部１０と接続され、無線信号処理部１０の送受信する無線信号の送受信レベルやスループットなどを測定し、測定結果を制御部１５に出力するようになっている。制御部１５は、無線信号測定部１３からの測定結果を時刻情報などと関連付けてハードディスク等に記憶しておき、ユーザの要求によりユーザインターフェース部１４に表示出力させたり、ログとしてファイルに出力したりするようになっている。
【００３０】
ユーザインターフェース部１４は、ユーザからの操作入力を受け付ける入力部１４１と、ＣＣのパラメータの設定画面や無線信号測定部１３の測定結果などを表示する表示部１４２とを備えている。入力部１４１は、タッチパッドやキーボードやプッシュボタンなどによって構成される。表示部１４２は、液晶表示装置などによって構成される。
【００３１】
制御部１５は、図示しないＣＰＵ（Central Processing Unit）と、ＲＡＭ（Random Access Memory）と、ＲＯＭ（Read Only Memory）と、ハードディスク装置と、入出力ポートとを備えたコンピュータユニットによって構成されている。
【００３２】
制御部１５のＲＯＭ及びハードディスク装置には、各種制御定数や各種マップ等とともに、当該コンピュータユニットを制御部１５として機能させるためのプログラムが記憶されている。すなわち、ＣＰＵがＲＯＭ及びハードディスク装置に記憶されたプログラムを実行することにより、当該コンピュータユニットは、制御部１５として機能する。
【００３３】
制御部１５の入出力ポートには、無線ハードウェア制御部１１、コールプロセッシング部１２−０、１、無線信号測定部１３、ユーザインターフェース部１４が接続され、制御部１５と各部は信号の送受信をできるようになっている。
【００３４】
なお、本実施形態において、無線ハードウェア制御部１１、コールプロセッシング部１２−０、１、無線信号測定部１３は、各処理を実行するようにプログラミングされたＤＳＰ（Digital Signal Processor）等のプロセッサによってそれぞれ構成されている。また、無線信号処理部１０は、通信モジュールによって構成されている。
【００３５】
制御部１５は、表示部１４２に表示させたパラメータ設定画面に従って設定されたパラメータに基づいて、無線ハードウェア制御部１１に設定信号を送信して無線信号処理部１０の送受信する無線信号の周波数などを制御して、無線信号測定部１３により測定を行なわせる。また、制御部１５は、設定されたパラメータをコールプロセッシング部１２−０、１に通知して、設定されたパラメータに適合したコンポーネントキャリアの通信を確立させる。
【００３６】
また、制御部１５は、入力部１４１に入力された指示に従って、無線ハードウェア制御部１１及びコールプロセッシング部１２−０、１に信号を送信して、試験用の呼制御などを行なわせるようになっている。
【００３７】
具体的には、まず、ユーザにより試験に使用するＣＣのパラメータ設定が行なわれる。制御部１５は、ユーザによる入力部１４１の操作によりパラメータ設定の機能が選択されると、例えば、表示部１４２にパラメータ設定画面を表示させて、各ＣＣの多重化方式やチャネル帯域幅などのパラメータ（使用する複数のＣＣの並び順情報も含む）を設定させる。このとき、制御部１５は、使用可能なコールプロセッシング部１２−０、１の第１セル部１２１及び第２セル部１２２分のＣＣの設定を可能にする。
【００３８】
ユーザは、目的の試験に合わせてパラメータをＣＣごとに設定する。制御部１５は、設定されたパラメータをＣＣごとに例えばハードディスク装置に記憶するとともに、コールプロセッシング部１２−０、１にパラメータを通知し、コールプロセッシング部１２−０、１が設定されたパラメータに従ってＣＣの制御をできるようにする。
【００３９】
制御部１５は、設定されたＣＣの数が、複数のコールプロセッシング部１２−０、１を使用する必要があり（図１のように各セル部が２個ずつの構成においては使用するＣＣの数が３以上であり）、ＰＣＣとして設定されたＣＣの多重化方式と異なる多重化方式のＳＣＣが設定されている場合、ＣＣの割り当てが可能か否かを判定する。
【００４０】
制御部１５は、設定された複数のＣＣを複数のコールプロセッシング部１２−０、１に割り当てる。このとき、少なくともＰＣＣの多重化方式と同じ多重化方式のＣＣをコールプロセッシング部１２−０、１（本発明における１つのコールプロセッシング部）に割り当てる。なお、標準的な動作としては、ユーザが設定したＣＣの並び順で各コールプロセッシング部１２−０、１の各セル部の順で設定される（１２−０の１２１→１２２→１２−１の１２１→１２２の順）ようになっている。
【００４１】
制御部１５は、ＰＣＣとＳＣＣの割り当て情報と、各ＣＣのパラメータをコールプロセッシング部１２−０、１に通知する。このとき、各コールプロセッシング部１２−０、１には自身が割り当てられたものだけではなく全ＣＣの割り当て情報およびパラメータが通知される。なお、各コールプロセッシング部１２−０、１に自身が割り当てられた情報のみ通知するようにしてもよい。ここでは、３ＣＣを設定するものとし、一方のコールプロセッシング部１２−０、１に２ＣＣ割り当て、他方のコールプロセッシング部１２−０、１に１ＣＣ割り当てるものとして説明を進める。
【００４２】
コールプロセッシング部１２−０、１（本発明における１つのコールプロセッシング部；ここでは１２−０とする）は、自身に割り当てられたＣＣが２つで、かつ、ＰＣＣの多重化方式と異なるＣＣとＰＣＣの多重化方式と同じＣＣがある場合、第１セル部１２１にＰＣＣの多重化方式と同じ多重化方式のＣＣのパラメータを設定し、第２セル部１２２にＰＣＣの多重化方式と異なる多重化方式のＣＣのパラメータを設定する。
【００４３】
コールプロセッシング部１２−０、１（本発明における別のコールプロセッシング部；ここでは１２−１とする）は、自身に割り当てられたＣＣが１つで、かつ、そのＣＣの多重化方式とＰＣＣの多重化方式が同じ場合、割り当てられたＣＣのパラメータを第１セル部１２１に設定する。
【００４４】
また、コールプロセッシング部１２−１は、自身に割り当てられたＣＣが１つで、かつ、そのＣＣの多重化方式とＰＣＣの多重化方式が異なる場合、第１セル部１２１にＰＣＣの多重化方式の設定を行なって移動端末２からの信号を受信可能にし、割り当てられたＣＣのパラメータを第２セル部１２２に設定してＳＣＣの信号送信を可能にする。コールプロセッシング部１２−１は、無線信号処理部１０に、移動端末２からの信号は、第１セル部１２１で受信するよう設定し、第１セル部１２１の信号は送信しないように設定する。
【００４５】
ここで、コールプロセッシング部１２−０、１の構成について説明する。通常、コールプロセッシング部１２−０、１は同一ボードで構成され、よって別のコールプロセッシング部１２−１もＰＣＣとＳＣＣとの組み合わせで用いられることを前提とした構成のものとなっている。したがって、コールプロセッシング部１２−１は、第１セル部１２１及び第２セル部１２２をＳＣＣとして使用することになるが、第１セル部１２１がＰＣＣの多重化方式と同じ多重化方式でないと移動端末２からのフィードバック信号を受信することができず、通信を行なうことができない。
【００４６】
また、各ＣＣから移動端末２に送信される制御情報について説明すると、各ＣＣは移動端末２に対して基地局からの信号を受信するための制御情報を送信するようになっている。そしてＳＣＣから送信される制御情報は多重化方式によってその内容が相違する。よって、コールプロセッシング部１２−１の第１セル部に１２−０のＰＣＣとは異なる多重化方式のＳＣＣが割り当てられると、間違った制御情報が移動端末２に送信されることになる。
【００４７】
このため、コールプロセッシング部１２−１でも移動端末２からのフィードバック信号を受信することができるように（および誤制御情報の送信無きように）、ＰＣＣの多重化方式と同じ多重化方式のＳＣＣを割り当てる。詳しくは、コールプロセッシング部１２−１の第１セル部１２１で移動端末２からの信号を受信可能とし、第２セル部１２２でＳＣＣの信号を送信するようにする。
【００４８】
例えば、図２に示すように、ユーザによってＰＣＣとしてＦＤＤのＣＣ、ＳＣＣとして２つのＴＤＤのＣＣがこの並び順で設定された場合、（コールプロセッシング部１２−０の第１セル部から順番に割り当てるとすると）コールプロセッシング部１２−１の第１セル部１２１にＴＤＤの設定をすると移動端末２からの信号を受信することができない。このため、第１セル部１２１をＦＤＤとして移動端末２からの信号を受信できるように設定し、第２セル部１２２をＴＤＤとしてＳＣＣ２としての機能を実行させる。
【００４９】
このようなパラメータを設定した後、ユーザは、移動端末試験装置１と移動端末２とを有線で接続し、移動端末２の電源を入れるなどして位置登録を行なわせ、移動端末試験装置１側で位置登録が正常に行なわれたかを確認する。
【００５０】
制御部１５は、位置登録が行なわれた状態で、ユーザによる入力部１４１の操作により呼接続の操作が行なわれると、ユーザに指定されたＣＣに対応するコールプロセッシング部１２−０に呼接続の指示を送信し、呼接続を行なわせる。
【００５１】
制御部１５は、呼接続が行なわれた状態で、ユーザによる入力部１４１の操作により送信試験の実行の操作が行なわれると、無線信号測定部１３に試験実行の指示を送信して、送信信号の試験を行なわせる。制御部１５は、無線信号測定部１３から試験結果の情報を受信すると、ログとしてハードディスク装置に記憶するとともに、表示部１４２に結果等を表示させる。
【００５２】
また、制御部１５は、呼接続が行なわれた状態で、ユーザによる入力部１４１の操作により受信試験の実行の操作が行なわれると、呼接続されたＣＣに対応するコールプロセッシング部１２−０に試験実行の指示を送信して、受信信号の試験を行なわせる。制御部１５は、コールプロセッシング部１２−０から試験結果の情報を受信すると、ログとしてハードディスク装置に記憶するとともに、表示部１４２に結果等を表示させる。
【００５３】
以上のように構成された本実施形態に係る移動端末試験装置１のコールプロセッシング部１２−１によるパラメータ設定処理について、図３を参照して説明する。
【００５４】
図３に示すように、コールプロセッシング部１２−１は、制御部１５から通知されたＰＣＣとＳＣＣの割り当て情報と、各ＣＣのパラメータに基づき、ＰＣＣの多重化方式と異なる多重化方式のＣＣが割り当てられ、第１セル部１２１及び第２セル部１２２へのパラメータの変更が必要か否かを判定する（ステップＳ１１）。
【００５５】
第１セル部１２１及び第２セル部１２２へのパラメータの変更が必要ないと判定した場合、コールプロセッシング部１２−１は、設定されたパラメータ通りパラメータを設定する通常のパラメータの設定を行ない（ステップＳ１４）、処理を終了する。
【００５６】
一方、第１セル部１２１及び第２セル部１２２へのパラメータの変更が必要であると判定した場合、コールプロセッシング部１２−１は、第１セル部１２１にＰＣＣの多重化方式の設定を行ない、割り当てられたＣＣのパラメータを第２セル部１２２に設定する変更したパラメータの設定を行なう（ステップＳ１２）。
【００５７】
次いで、コールプロセッシング部１２−１は、無線信号処理部１０に、移動端末２からの信号は、第１セル部１２１で受信するよう設定し、第１セル部１２１の信号は送信しないように設定する信号入出力の変更を行ない（ステップＳ１３）、処理を終了する。
【００５８】
このように、上述の実施形態では、コールプロセッシング部１２−１は、ＰＣＣの多重化方式と異なる多重化方式のＳＣＣを割り当てられた場合、第２セル部１２２に当該ＳＣＣのパラメータを設定し、第１セル部１２１にＰＣＣの多重化方式と同じ多重化方式を設定し、移動端末２からの受信信号を第１セル部１２１で受信する。
【００５９】
これにより、コールプロセッシング部１２−１でも移動端末２からの信号を受信することができ、ＣＣの多重化方式が混在したキャリアアグリゲーションの試験が可能となる。
【００６０】
また、コールプロセッシング部１２−１は、ＣＣの送信信号は第２セル部１２２から送信する。
【００６１】
これにより、コールプロセッシング部１２−１でも移動端末２と信号の送受信ができ、ＣＣの多重化方式が混在したキャリアアグリゲーションの試験が可能となる。
【００６２】
また、ＰＣＣの多重化方式と同じ多重化方式のＣＣを割り当てられたコールプロセッシング部１２−０は、第１セル部１２１をＰＣＣの多重化方式と同じ多重化方式のＣＣとして動作させる。
【００６３】
これにより、コールプロセッシング部１２−０でも移動端末２と信号の送受信ができ、ＣＣの多重化方式が混在したキャリアアグリゲーションの試験が可能となる。
【００６４】
ここで、図４を用いて変形実施形態について説明する。図４は、設定するＣＣが４ＣＣ（ＦＤＤ、ＴＤＤ、ＴＤＤ、ＴＤＤ）であって、コールプロセッシング部１２−０、１２−１のセル部の数がそれぞれ２、３個である場合の態様を示している。コールプロセッシング部１２−１は、割り当てられたＳＣＣ２，３を第２セル部１２２に設定し、第１セル部１２１をＰＣＣと同じ多重化方式に設定し、第１セル部１２１で移動端末からのフィードバック信号を受信するようになっている。
【００６５】
つまり、本発明は、通常の割り当て設定を行なうとコールプロセッシング部１２−１の第１セル部１２１への割り当てがコールプロセッシング部１２−０の第１セル部１２１（ＰＣＣ）の多重化方式と異なってしまう場合に、多重化方式が異なるＳＣＣをコールプロセッシング部１２−１の第１セル部１２１に設定することを避けて第２セル部１２２に設定するという思想からなる。したがって、コールプロセッシング部１２−１側に割り当てられる多重化方式の種類を制限するものではない。例えば、図４態様に設定する４ＣＣがＦＤＤ、ＴＤＤ、ＴＤＤ、ＦＤＤの場合であっても本発明を適用可能である。また、このような技術思想であるので、コールプロセッシング部１２−０のセル数は１以上（少なくとも第１セル部１２１を持つ構成）であればよい。
【００６６】
［第２の実施形態］
次に、図５を用いて第２の実施形態について説明する。前記した第１の実施形態では、１つのコールプロセッシング部１２−１内でＳＣＣの配置を変更する構成となっていたが、本実施形態では、複数のコールプロセッシング部１２−０、１間にまたがって変更する構成となっている。本実施形態は、図２に示した実施形態と設定すべきＣＣの数、およびコールプロセッシング部構成（セル数）は同一である。設定すべき３ＣＣの多重化方式がＦＤＤ，ＦＤＤ，ＴＤＤとなっている点で異なる。
【００６７】
制御部１５から各コールプロセッシング部１２−０、１に、今回設定された全情報（全ＣＣの並び、全ＣＣの割り当て情報、全ＣＣの設定パラメータ、など）が通知される。通知された情報に基づき、コールプロセッシング部１２−１の第１セル部１２１にＰＣＣと異なる多重化方式のＳＣＣを割り当てないようになっている。コールプロセッシング部１２−０は、第１セル部１２１にＰＣＣ（ＦＤＤ）を設定し、第２セル部１２２にＳＣＣ２（ＴＤＤ）を設定する。一方コールプロセッシング部１２−１は、ＳＣＣ１（ＦＤＤ）を第１セル部１２１に設定する。これにより、コールプロセッシング部１２−１の第１セル部１２１の多重化方式がコールプロセッシング部１２−０の第１セル部１２１の多重化方式と同じとなり、コールプロセッシング部１２−１は第１セル部１２１で移動端末からのフィードバック信号を受信することができる。
【００６８】
なお、この第２の実施形態にあっては、コールプロセッシング部１２−０はセル部を複数具備する（第２セル部を具備する）ことが前提となる一方、コールプロセッシング部１２−１はセル部を１つ以上具備（少なくとも第１セル部を具備）すればよい。また、全ＣＣのうちでＰＣＣと同じ多重化方式のＣＣの数（ＰＣＣを含む）が、複数のコールプロセッシング部１２−０、１の数以上であることが前提となる。
【００６９】
以上、本発明の実施形態を開示したが、当業者によっては本発明の範囲を逸脱することなく変更が加えられうることは明白である。すべてのこのような修正及び等価物が次の請求項に含まれることが意図されている。
【符号の説明】
【００７０】
１  移動端末試験装置
２  移動端末
１０  無線信号処理部
１１  無線ハードウェア制御部
１２  コールプロセッシング部
１２−０、１  コールプロセッシング部
１３  無線信号測定部
１４  ユーザインターフェース部
１５  制御部
１２１  第１セル部
１２２  第２セル部
１４１  入力部
１４２  表示部
【図１】
2017055236.tif 000003
【図２】
2017055236.tif 000004
【図３】
2017055236.tif 000005
【図４】
2017055236.tif 000006
【図５】
2017055236.tif 000007
【手続補正書】
【提出日】平成28年4月5日(2016.4.5)
【手続補正１】
【補正対象書類名】特許請求の範囲
【補正対象項目名】請求項４
【補正方法】変更
【補正の内容】
【請求項４】
キャリアアグリゲーションにおける複数のコンポーネントキャリアそれぞれに設定されたパラメータに基づいて、前記複数のコンポーネントキャリアの１つをプライマリコンポーネントキャリアとし、他の前記コンポーネントキャリアをセカンダリコンポーネントキャリアとして移動端末（２）と呼接続を行なってキャリアアグリゲーションの試験を行なう移動端末試験装置（１）であって、
前記プライマリコンポーネントキャリアまたは前記セカンダリコンポーネントキャリアとして動作する第１セル部（１２１）と、前記セカンダリコンポーネントキャリアとしてのみ動作する第２セル部（１２２）とのうち、前記第１セル部及び前記第２セル部を備えた１つのコールプロセッシング部（１２−０）と、１つの前記第１セル部を少なくとも備えた１つ以上の別のコールプロセッシング部（１２−１）とでなる複数のコールプロセッシング部（１２−０、１２−１）と、
前記複数のコンポーネントキャリアを前記複数のコールプロセッシング部に割り当てる制御部（１５）であって、前記１つのコールプロセッシング部には前記プライマリコンポーネントキャリアを割り当てる当該制御部（１５）と、を備え、
前記別のコールプロセッシング部は、
前記プライマリコンポーネントキャリアを含む前記プライマリコンポーネントキャリアと同じ多重化方式のコンポーネントキャリアの数が、前記複数のコールプロセッシング部の数以上であることを条件に、
前記第１セル部に前記複数のコンポーネントキャリア全てのうちから前記プライマリコンポーネントキャリアの多重化方式と同じ多重化方式のセカンダリコンポーネントキャリアのパラメータを設定し、前記移動端末からの受信信号を当該第１セル部で受信する移動端末試験装置。
【手続補正２】
【補正対象書類名】明細書
【補正対象項目名】００１６
【補正方法】変更
【補正の内容】
【００１６】
本発明の移動端末試験装置は、キャリアアグリゲーションにおける複数のコンポーネントキャリアそれぞれに設定されたパラメータに基づいて、複数のコンポーネントキャリアの１つをプライマリコンポーネントキャリアとし、他のコンポーネントキャリアをセカンダリコンポーネントキャリアとして移動端末と呼接続を行なってキャリアアグリゲーションの試験を行なう移動端末試験装置であって、プライマリコンポーネントキャリアまたはセカンダリコンポーネントキャリアとして動作する第１セル部と、セカンダリコンポーネントキャリアとしてのみ動作する第２セル部とのうち、第１セル部及び第２セル部を備えた１つのコールプロセッシング部と、１つの第１セル部を少なくとも備えた１つ以上の別のコールプロセッシング部とでなる複数のコールプロセッシング部と、複数のコンポーネントキャリアを複数のコールプロセッシング部に割り当てる制御部であって、１つのコールプロセッシング部にはプライマリコンポーネントキャリアを割り当てる制御部と、を備え、別のコールプロセッシング部は、プライマリコンポーネントキャリアを含むプライマリコンポーネントキャリアと同じ多重化方式のコンポーネントキャリアの数が、複数のコールプロセッシング部の数以上であることを条件に、第１セル部に複数のコンポーネントキャリア全てのうちからプライマリコンポーネントキャリアの多重化方式と同じ多重化方式のセカンダリコンポーネントキャリアのパラメータを設定し、移動端末からの受信信号を当該第１セル部で受信するものである。